(57)【要約】【課題】受信状況の異なるチャンネルについて、選局可能なチャンネルを動的に切り替え、チャンネル選択を容易にする。【解決手段】携帯端末装置１００のスキャン制御部１０７は、チャンネルスキャンによって受信チャンネルを検出し、チャンネルの一覧である仮チャンネル情報テーブル４００と、スキャンを行った地域に対応する地域プリセット情報テーブル５００を比較する。前者に存在しないチャンネルをサブチャンネル情報テーブル３００に記載する。選局可否判定部１０９は上下キーでの選局時にはメインチャンネル情報テーブル２００に記載されたチャンネルのみを選局可能と判定する。ワンタッチキーでの選局時には、いずれのテーブル２００，３００のチャンネルも選局可能とする。また放送の受信状況によってテーブル２００とテーブル３００のチャンネル情報を入れ替える。【選択図】図１
2010124278.tif 000002
【特許請求の範囲】
【請求項１】
チャンネル選択手段を含み、受信するチャンネルを入力する入力部と、
選局可能なチャンネルとそのチャンネルの受信難易を示すチャンネル属性との一覧を示すチャンネル情報テーブルを管理するチャンネル情報管理部と、
前記入力部で選択されたチャンネルについて、前記チャンネル情報管理部が管理するチャンネル情報テーブルに記録されている当該チャンネルの属性に基づいて選局するかどうかを判定すると共に、放送の受信状況の判定条件にしたがって前記チャンネル情報テーブルのチャンネルの属性を変更する選局可否判定部と、を具備する放送受信装置。
【請求項２】
一つ以上のチャンネルを選局して受信可能かどうか判断し、受信可能なチャンネルの情報を保持する仮チャンネル情報テーブルを作成するスキャン制御部を更に具備し、
前記チャンネル情報管理部は、書換え可能な固定のチャンネル情報を保持する固定チャンネル情報テーブルを更に管理するものであり、
前記選局可否判別部は、前記仮チャンネル情報テーブルと前記固定チャンネル情報テーブルとを比較し、前記固定チャンネル情報テーブルに存在し前記仮チャンネル情報テーブルに存在しないチャンネルと、前記固定チャンネル情報テーブル及び仮チャンネル情報テーブルに存在するチャンネルとを、異なるチャンネル属性情報と共に前記チャンネル情報テーブルに登録する請求項１記載の放送受信装置。
【請求項３】
前記放送の受信状況の判定条件は、チューナーの受信感度、特定の放送データの受信可否、映像データや音声データのいずれか一つ以上のデコードエラー情報、の少なくとも１つである請求項１又は２記載の放送受信装置。
【請求項４】
前記選局可否判別部は、前記チャンネル情報テーブルに記載されているチャンネルを、前記入力部のチャンネル選択手段に応じて、前記チャンネルの属性によって選局可能または選局不可能を判定する請求項１〜３のいずれかに記載の放送受信装置。
【請求項５】
前記チャンネル選択手段の少なくとも１つは、チャンネルの上下を入力する上下キーである請求項４記載の放送受信装置。
【請求項６】
前記チャンネル選択手段の少なくとも１つは、チャンネルに対応した数字を入力する数字キーの入力である請求項４記載の放送受信装置。
【請求項７】
前記チャンネル選択手段は、番組表及びチャンネル情報テーブルからの入力の少なくとも一方の入力である請求項４記載の放送受信装置。
【請求項８】
チャンネル選択手段を含み、受信するチャンネルを入力する入力部と、
少なくとも選局容易なチャンネルの一覧を示す第１のチャンネル情報テーブルと選局難のチャンネルの一覧を示す第２のチャンネル情報テーブルとを管理するチャンネル情報管理部と、
前記入力部で入力されたチャンネルについて、前記第１，第２のいずれのチャンネル情報テーブルに存在するかによって選局するかどうかを判定すると共に、受信したチャンネルの受信状況の判定条件にしたがって前記第１，第２のチャンネル情報テーブルへの登録を変更する選局可否判定部と、を具備する放送受信装置。
【請求項９】
一つ以上のチャンネルを選局して受信可能かどうか判断し、受信可能なチャンネルの情報を保持する仮チャンネル情報テーブルを作成するスキャン制御部を更に具備し、
前記チャンネル情報管理部は、書換え可能な固定のチャンネル情報を保持する固定チャンネル情報テーブルを更に管理するものであり、
前記選局可否判別部は、前記仮チャンネル情報テーブルと前記固定チャンネル情報テーブルとを比較し、前記固定チャンネル情報テーブルと前記チャンネル情報テーブルに共に存在するチャンネルを前記第１のチャンネル情報テーブルに登録し、前記固定チャンネル情報テーブルに存在するが、前記仮チャンネル情報テーブルに存在しないチャンネルを前記第２のチャンネル情報テーブルに登録する請求項８記載の放送受信装置。
【請求項１０】
前記放送の受信状況の判定条件は、チューナーの受信感度、特定の放送データの受信可否、映像データや音声データのいずれか一つ以上のデコードエラー情報、の少なくとも１つである請求項８又は９記載の放送受信装置。
【請求項１１】
前記選局可否判別部は、前記入力部のチャンネル選択手段に応じて、前記第１のチャンネル情報テーブルに記載されているチャンネルの選局可否、又は前記第１，第２のチャンネル情報テーブルに記載されているチャンネルの選局可否を判定する請求項８又は９記載の放送受信装置。
【請求項１２】
前記チャンネル選択手段の少なくとも１つは、チャンネルの上下を入力する上下キーである請求項１１記載の放送受信装置。
【請求項１３】
前記チャンネル選択手段の少なくとも１つは、チャンネルに対応した数字を入力する数字キーの入力である請求項１１記載の放送受信装置。
【請求項１４】
前記チャンネル選択手段は、番組表及びチャンネル情報テーブルからの入力の少なくとも一方の入力である請求項１１記載の放送受信装置。
【発明の詳細な説明】
【技術分野】
【０００１】
本発明は、放送を受信する放送受信装置に係り、特に、チャンネルの選局制御技術に関する。
【背景技術】
【０００２】
２００６年から携帯端末向けの地上デジタル放送であるワンセグ放送が開始され、携帯電話を中心に普及しつつある。
【０００３】
デジタルテレビではデジタル放送を受信するために、すべての放送可能な周波数を選局して、その周波数で放送が受信可能かを検知し、受信可能と判断した周波数や受信できた放送データに記載された情報をリスト化する。この機能をチャンネルスキャンと呼び、それによって作成されたリストをチャンネルリストと呼ぶ。
【０００４】
チャンネルリストには周波数またはそれに対応する物理チャンネル番号や、チャンネルスキャンによって受信された放送データに記載された、放送局などネットワークを識別する識別番号や、放送サービスを識別する識別番号、放送局名、チャンネル名などが記載される。
【０００５】
携帯端末などさまざまな地域でチャンネルスキャンを行う場合、それぞれ作成されるチャンネルリストの内容は異なる。
【０００６】
また、各地域において放送サービスを行っている放送局は決まっているので、あらかじめ各地域向けにチャンネルリストのデータベースを作っておき、受信端末に記録しておくことにより、ユーザが居住地を指定し、その地域に対応するチャンネルリストを呼び出せるようにしておけば、チャンネルスキャン機能を省略することができる。この機能をチャンネルプリセット機能と呼び、チャンネルスキャン機能と同様に一部の受信端末に搭載されている。
【０００７】
携帯端末など屋外など電波状況の変化が大きい環境や、移動環境においては、チャンネルスキャン機能によって、その地域で放送サービスは行っているがスキャン時点で受信感度が悪くて検出できなかったチャンネルが存在する場合がある。その場合、そのチャンネルは一切選局できなくなってしまう。
【０００８】
更に、これらの受信環境においては、チャンネルスキャン機能やチャンネルプリセット機能によって作成されたチャンネルリストのチャンネルが全て視聴可能とは限らない。従ってチャンネルの一覧表示などで表示されたチャンネルを実際にリモコン操作などで選局しても受信できないことが頻発すると、ユーザに対して不快感を与える要因となる。
【０００９】
特許文献１では、選局可能なチャンネルで現在の地域を絞り込み、地域が特定できた時点でその地域のチャンネルリストを現在のチャンネルリストに置き換える方法が提案されている。
【００１０】
特許文献２では、チャンネルリストを表示するときに、各チャンネルの受信状況を取得し、それを視覚的に表現することにより、受信感度の良いチャンネル、悪いチャンネルをすぐにわかるようにする方法が提案されている。
【００１１】
特許文献３では、受信状況が悪いチャンネルについて、チャンネルリストに表示されないようにすることや、選局できなくすることにより、ユーザが選局しようとしたチャンネルが受信できない事態を回避する方法が提案されている。
【特許文献１】特開２００６−９３８６８号公報
【特許文献２】特開２００８−９２５２７号公報
【特許文献３】特開２００８−２２０４７号公報
【発明の開示】
【発明が解決しようとする課題】
【００１２】
特許文献１及び２の発明では、受信感度が悪く視聴が困難なチャンネルについてもチャンネルリストには記載されているので、選局操作自体はできるため、それらのチャンネルを選局するたびに視聴できないエラーが発生し、視聴可能な見たいチャンネルを探す妨げになる。
【００１３】
特許文献３の発明では、受信状況が悪いチャンネルをチャンネルリストに表示せず、又は選局しないことによりユーザが選局しようとしたチャンネルが受信できない事態を回避している。しかし受信できる可能性があっても一切選局できなくなってしまうという問題がある。また、その後再度選局対象になる条件については記載されていない。
【００１４】
よって、ユーザが、一時的に受信感度が良くなったタイミングを見計らって、視聴できるかどうか試してみたいチャンネルについても選局できず、見たい番組、場面を見逃してしまう可能性がある。
【００１５】
本発明は、これらの課題を鑑みてなされたものであり、受信状況が変化する環境において、ユーザが好む放送チャンネルを容易な操作で選局可能にする放送受信装置を提供することを目的とする。
【課題を解決するための手段】
【００１６】
この課題を解決するために、本発明の放送受信装置は、チャンネル選択手段を含み、受信するチャンネルを入力する入力部と、選局可能なチャンネルとそのチャンネルの受信難易を示すチャンネル属性との一覧を示すチャンネル情報テーブルを管理するチャンネル情報管理部と、前記入力部で選択されたチャンネルについて、前記チャンネル情報管理部が管理するチャンネル情報テーブルに記録されている当該チャンネルの属性に基づいて選局するかどうかを判定すると共に、放送の受信状況の判定条件にしたがって前記チャンネル情報テーブルのチャンネルの属性を変更する選局可否判定部と、を具備するものである。
【００１７】
ここで一つ以上のチャンネルを選局して受信可能かどうか判断し、受信可能なチャンネルの情報を保持する仮チャンネル情報テーブルを作成するスキャン制御部を更に具備し、前記チャンネル情報管理部は、書換え可能な固定のチャンネル情報を保持する固定チャンネル情報テーブルを更に管理するものであり、前記選局可否判別部は、前記仮チャンネル情報テーブルと前記固定チャンネル情報テーブルとを比較し、前記固定チャンネル情報テーブルに存在し前記仮チャンネル情報テーブルに存在しないチャンネルと、前記固定チャンネル情報テーブル及び仮チャンネル情報テーブルに存在するチャンネルとを、異なるチャンネル属性情報と共に前記チャンネル情報テーブルに登録するようにしてもよい。
【００１８】
ここで前記放送の受信状況の判定条件は、チューナーの受信感度、特定の放送データの受信可否、映像データや音声データのいずれか一つ以上のデコードエラー情報、の少なくとも１つとしてもよい。
【００１９】
ここで前記選局可否判別部は、前記チャンネル情報テーブルに記載されているチャンネルを、前記入力部のチャンネル選択手段に応じて、前記チャンネルの属性によって選局可能または選局不可能を判定するようにしてもよい。
【００２０】
この課題を解決するために、本発明の放送受信装置は、チャンネル選択手段を含み、受信するチャンネルを入力する入力部と、少なくとも選局容易なチャンネルの一覧を示す第１のチャンネル情報テーブルと選局難のチャンネルの一覧を示す第２のチャンネル情報テーブルとを管理するチャンネル情報管理部と、前記入力部で入力されたチャンネルについて、前記第１，第２のいずれのチャンネル情報テーブルに存在するかによって選局するかどうかを判定すると共に、受信したチャンネルの受信状況の判定条件にしたがって前記第１，第２のチャンネル情報テーブルへの登録を変更する選局可否判定部と、を具備するものである。
【００２１】
ここで一つ以上のチャンネルを選局して受信可能かどうか判断し、受信可能なチャンネルの情報を保持する仮チャンネル情報テーブルを作成するスキャン制御部を更に具備し、前記チャンネル情報管理部は、書換え可能な固定のチャンネル情報を保持する固定チャンネル情報テーブルを更に管理するものであり、前記選局可否判別部は、前記仮チャンネル情報テーブルと前記固定チャンネル情報テーブルとを比較し、前記固定チャンネル情報テーブルと前記チャンネル情報テーブルに共に存在するチャンネルを前記第１のチャンネル情報テーブルに登録し、前記固定チャンネル情報テーブルに存在するが、前記仮チャンネル情報テーブルに存在しないチャンネルを前記第２のチャンネル情報テーブルに登録するようにしてもよい。
【００２２】
ここで前記放送の受信状況の判定条件は、チューナーの受信感度、特定の放送データの受信可否、映像データや音声データのいずれか一つ以上のデコードエラー情報、の少なくとも１つとしてもよい。
【００２３】
ここで前記選局可否判別部は、前記入力部のチャンネル選択手段に応じて、前記第１のチャンネル情報テーブルに記載されているチャンネルの選局可否、又は前記第１，第２のチャンネル情報テーブルに記載されているチャンネルの選局可否を判定するようにしてもよい。
【００２４】
ここで前記チャンネル選択手段の少なくとも１つは、チャンネルの上下を入力する上下キーとしてもよい。
【００２５】
ここで前記チャンネル選択手段の少なくとも１つは、チャンネルに対応した数字を入力する数字キーの入力であるようにしてもよい。
【００２６】
ここで前記チャンネル選択手段は、番組表及びチャンネル情報テーブルからの入力の少なくとも一方の入力であるようにしてもよい。
【発明の効果】
【００２７】
本発明によれば、各チャンネルの受信状況によって、それらのチャンネルの選局しやすさや、選局可能な手段を変更し、視聴可能なチャンネルは選局しやすく、受信感度が悪く視聴が厳しいチャンネルは選局しにくくすることにより、より選局操作の利便性を高めることが可能となる。更にそれを動的に変更していくことにより、移動など受信状況が変化しても、常に視聴可能なチャンネルを探しやすく、視聴が厳しいチャンネルを選局してしまう煩雑さの軽減が実現できる。
【発明を実施するための最良の形態】
【００２８】
１．構成
以下本発明の実施の形態について、図１〜７を用いて説明する。
１．１．携帯端末装置１００の構成
図１を用いて本発明による放送受信装置の実施の形態について詳細に説明する。図１は本実施の形態である携帯端末装置１００の構成を示すブロック図である。
【００２９】
図１において、携帯端末装置１００は、チューナー１０１、ユーザ入力部１０２、デマルチプレクサ１０３、ＡＶデコーダ１０４、出力部１０５、選局制御部１０６、スキャン制御部１０７、チャンネル設定部１０８、選局可否判定部１０９、チャンネル情報管理部１１０から構成される。
【００３０】
チューナー１０１は、選局制御部１０６から指定された物理チャンネルを選局し、放送ネットワークからデジタル放送信号を受信し、デマルチプレクサ１０３に出力する。デジタル放送信号は主に映像音声データと、放送局や番組情報などが記述されたＳＩ情報を含む。
【００３１】
ユーザ入力部１０２は、リモコンやキーボードなどの入力に基づいて、キー内容にしたがってチャンネルを選択するチャンネル選択手段の機能を有し、選局制御部１０６またはスキャン制御部１０７に出力するものである。本実施の形態では、ユーザ入力部１０２においてユーザがワンタッチキー、上下キーを押下した場合には選局制御部１０６にキー情報を出力し、スキャン機能を起動する操作の場合には、スキャン制御部１０７に対してキー情報を出力する。なお、スキャン機能を起動する操作については、特定のリモコンキーで検知しても良いし、メニュー表示を行ってユーザがスキャン機能をメニューから選択したことを検知してもよい。
【００３２】
デマルチプレクサ１０３は、選局制御部１０６からの指示に従って、チューナー１０１が受信したデジタル放送信号から映像音声とデータのパケットを分離し、それぞれＡＶデコーダ１０４及び選局制御部１０６に出力する。
【００３３】
ＡＶデコーダ１０４は、デマルチプレクサ１０３にて分離された映像音声データをデコードし、映像音声を出力部１０５に出力する。
【００３４】
出力部１０５は、映像音声を画面及びスピーカーなどに出力する。なお、画面やスピーカーは必須ではなく、外部出力でもよく、それを制限するものではない。
【００３５】
選局制御部１０６は、ユーザ入力部１０２からリモコンの入力情報（上下キー又はワンタッチキー番号）を受け、選局可否判定部１０９からその入力内容に対応したチャンネル情報を取得し、その内容にしたがってチューナー１０１及びデマルチプレクサ１０３に対して受信、分離すべき映像音声及びＳＩ情報を指定する。選局制御部１０６は、スキャン制御部１０７からも選局指示を受け、この場合には、チューナー１０１及びデマルチプレクサ１０３に対して受信すべきチャンネル情報を指定する。選局制御部１０６はデマルチプレクサ１０３にて抽出されたチャンネル情報を受け取り、ユーザ入力部１０２からの指示で選局処理を行った場合にはチャンネル情報管理部１１０へチャンネル情報を出力し、スキャン制御部１０７からの指示で選局処理を行った場合には、スキャン制御部１０７に対して、チャンネル情報を出力する。
【００３６】
スキャン制御部１０７は、ユーザ入力部１０２からリモコンの入力情報を受け、チャンネルスキャン機能が要求された場合に、全ての放送用の物理チャンネルに対して、選局制御部１０６に選局指示を出し、選局制御部１０６から、当該物理チャンネルで受信された放送に含まれるチャンネル情報を受け取り、仮チャンネル情報テーブル４００を作成する。全物理チャンネルでの処理を完了後、チャンネル設定部１０８に対して仮チャンネル情報テーブル４００を出力する。
【００３７】
チャンネル設定部１０８は、スキャン制御部１０７によるチャンネルスキャン処理完了後に、仮チャンネル情報テーブル４００を受け取り、仮チャンネル情報テーブル４００に記載された受信可能チャンネルのチャンネル情報から現在の地域を推測する。チャンネル設定部１０８は、チャンネル情報管理部１１０から当該地域の地域プリセット情報テーブル５００を受け取る。チャンネル設定部１０８は、仮チャンネル情報テーブル４００と地域プリセット情報テーブル５００を比較し、地域プリセット情報テーブル５００に存在するが仮チャンネル情報テーブル４００には存在しないチャンネルを検出し、そのチャンネル情報をチャンネル情報管理部１１０に出力し、サブチャンネル情報テーブル３００として登録させる。そして、仮チャンネル情報テーブル４００の内容をチャンネル情報管理部１１０に出力し、メインチャンネル情報テーブル２００として登録させる。
【００３８】
選局可否判定部１０９は、チャンネル情報管理部１１０からメインチャンネル情報テーブル２００及びサブチャンネル情報テーブル３００を取得し、選局制御部１０６から現在のチャンネル情報とキー入力情報を受け取る。選局可否判定部１０９は、メインチャンネル情報テーブル２００及びサブチャンネル情報テーブル３００と現在のチャンネル情報とキー入力情報から、次に選局すべきチャンネルを判定し、選局制御部１０６に対して選局すべきチャンネルのチャンネル情報を出力する。
【００３９】
また、選局可否判定部１０９は、定期的に選局制御部１０６に現在のチャンネルの受信状況を問い合わせる。選局可否判定部１０９は、現在のチャンネル情報のチャンネルがサブチャンネル情報テーブル３００に記載されている場合、受信状況が良好の場合には、当該チャンネル情報をサブチャンネル情報テーブル３００からメインチャンネル情報テーブル２００に移行させるように、チャンネル情報管理部１１０に両方のテーブルを更新させる。また、現在のチャンネル情報のチャンネルがメインチャンネル情報テーブル２００に登録されている場合、受信状況が悪い場合には、当該チャンネル情報をメインチャンネル情報テーブル２００からサブチャンネル情報テーブル３００に移行させるように、チャンネル情報管理部１１０に両方のテーブルを更新させる。
【００４０】
チャンネル情報管理部１１０は、第１のチャンネル情報テーブルであるメインチャンネル情報テーブル２００、第２のチャンネル情報テーブルであるサブチャンネル情報テーブル３００と、地域プリセット情報テーブル５００を保持、管理する。地域プリセット情報テーブル５００は、書き換え可能な固定のチャンネル情報を保持する固定チャンネル情報テーブルである。
【００４１】
携帯端末装置１００は本発明の放送受信装置の一例であり、携帯端末装置に限定するものではなく、携帯電話でも、携帯テレビでも、カーナビゲーションでも、ＤＶＤ装置でも、小型ゲーム機でもよく、デジタル放送を受信する装置であれば、それに限定されるものではない。
【００４２】
チューナー１０１は本発明のデジタル放送を入力する手段の一例であり、本実施の形態における放送を受信するチューナー１０１だけでなく、通信回線や電話回線などのネットワークアダプタやモデム、ＨＤＤやＤＶＤ、メモリカードなどの蓄積デバイスと接続し、蓄積デバイスのデジタル放送信号を受信するようにしてもよく、それによって制限されるものではない。
【００４３】
デマルチプレクサ１０３は、本発明のデジタル放送信号を分離する手段の一例であり、本実施におけるストリームを分離するトランスポートデコーダなどでの実現が想定されるが、それに制限されるものではない。
【００４４】
ＡＶデコーダ１０４は、本発明の映像音声データをデコードする手段の一例であり、ＭＰＥＧデコードＬＳＩなどが想定されるが、それに限定されるものではなく、ソフトウェアプログラムにて実現してもよい。
【００４５】
選局制御部１０６、スキャン制御部１０７、チャンネル設定部１０８、選局可否判定部１０９、及びチャンネル情報管理部１１０はプログラムまたはプログラムを記録した記録媒体または当該プログラムを書き込んだプロセッサなどでの実現が想定されるが、それに制限されるものではない。
【００４６】
１．２．データ及びテーブルの構成
１．２．１．メインチャンネル情報テーブル２００の構成
チャンネル情報管理部１１０が保持するメインチャンネル情報テーブル２００の例を図２に示す。メインチャンネル情報テーブル２００は、本実施の形態の携帯端末装置１００が受信可能である放送チャンネルのチャンネル情報によって構成される。チャンネル情報は各放送チャンネルで送られるデジタル放送信号に含まれるＳＩ情報から得られるため、デジタル放送信号を受信することにより取得することができる。各放送チャンネルのチャンネル情報はチャンネル番号、ワンタッチキー番号、地域情報、放送局名、及び図示しない選局情報（物理チャンネルなどを含む）などで構成される。なお、地域情報は選局情報にその値の内容を含めることにより省略しても良い。
【００４７】
図２の例において、放送局ＡＡＡテレビは、チャンネル番号が０１１、ワンタッチキー番号が１であることを示し、放送局ＢＢＢテレビはチャンネル番号が０２１、ワンタッチキー番号が２であることを示し、放送局ＣＣＣテレビはチャンネル番号が０４１、ワンタッチキー番号が４であることを示し、放送局ＥＥＥテレビはチャンネル番号が０８１、ワンタッチキー番号が８であることを示す。これらの全てのチャンネルの地域情報は１０であることを示す。
【００４８】
１．２．２．サブチャンネル情報テーブル３００の構成
チャンネル情報管理部１１０が保持するサブチャンネル情報テーブル３００の例を図３に示す。サブチャンネル情報テーブル３００の形式はメインチャンネル情報テーブル２００と同様である。図３の例において、放送局ＤＤＤテレビは、チャンネル番号が０６１、ワンタッチキー番号が６であることを示し、放送局ＦＦＦテレビはチャンネル番号が１０１、ワンタッチキー番号が１０であることを示す。これらの全てのチャンネルの地域情報は１０であることを示す。
【００４９】
１．２．３．地域プリセット情報テーブル５００の構成
チャンネル情報管理部１１０が保持する地域プリセット情報テーブル５００の例を図４に示す。地域プリセット情報テーブル５００の形式は地域情報とその地域におけるチャンネル情報の集合で構成される。
【００５０】
図４の例において、１０で示される地域においては、放送局ＡＡＡテレビは、チャンネル番号が０１１、ワンタッチキー番号が１であることを示し、放送局ＢＢＢテレビはチャンネル番号が０２１、ワンタッチキー番号が２であることを示し、放送局ＣＣＣテレビはチャンネル番号が０４１、ワンタッチキー番号が４であることを示し、放送局ＤＤＤテレビは、チャンネル番号が０６１、ワンタッチキー番号が６であることを示し、放送局ＥＥＥテレビはチャンネル番号が０８１、ワンタッチキー番号が８であることを示し、放送局ＦＦＦテレビはチャンネル番号が１０１、ワンタッチキー番号が１０であることを示す。
【００５１】
１．２．４．仮チャンネル情報テーブル４００の構成
スキャン制御部１０７で作成する仮チャンネル情報テーブル４００の形式は、メインチャンネル情報テーブル２００やサブチャンネル情報テーブル３００と同形式のため、説明を省略する。
【００５２】
２．動作
２．１．本実施の形態のメインチャンネル情報テーブル２００及びサブチャンネル情報テーブル３００の作成処理の説明
【００５３】
以下、図５Ａ，図５Ｂを用いて、本実施の形態の携帯端末装置１００による、メインチャンネル情報テーブル２００及びサブチャンネル情報テーブル３００の作成動作を説明する。
【００５４】
図５Ａ，図５Ｂは、本実施の形態の携帯端末装置１００において、ユーザがリモコン操作によって本携帯端末装置１００が受信可能な放送チャンネルを検索する機能（以下、チャンネルスキャン機能）を呼び出してから、全チャンネルを選局して受信可能な放送チャンネルを検出して、メインチャンネル情報テーブル２００及びサブチャンネル情報テーブル３００を作成する動作の流れを示したフローチャートである。
【００５５】
ユーザ入力部１０２がチャンネルスキャン機能の呼び出しのキー入力を受け、スキャン制御部１０７にチャンネルスキャン機能の実行を指示する（Ｓ１００１）。
【００５６】
スキャン制御部１０７は、チャンネルスキャン機能実行指示を受け、最初に選局すべきチャンネル（ｎ）を保持する。ここではｎを１３ＣＨとする（Ｓ１００２）。
【００５７】
選局制御部１０６に対して、所定の物理チャンネル（ｎ）への選局を指示する。（Ｓ１００３）
【００５８】
選局制御部１０６は、チューナー１０１及びデマルチプレクサ１０３に対して、指定された物理チャンネルの選局、デジタル放送信号の受信及びＳＩ情報の分離を指示する（Ｓ１００４）。
【００５９】
チューナー１０１及びデマルチプレクサ１０３にてデジタル放送信号を受信できたかどうかを判別する（Ｓ１００５）。受信できた場合にはＳＩ情報を分離して、選局制御部１０６を経由してスキャン制御部１０７にチャンネル情報として出力する（Ｓ１００６）。デジタル放送信号を受信できなかった場合には、Ｓ１００８に遷移する。
【００６０】
スキャン制御部１０７は、チャンネル情報を受け取り、仮チャンネル情報テーブル４００に追加する（Ｓ１００７）。
【００６１】
最後のチャンネル（６３ＣＨ）でない場合（Ｓ１００８）、ｎをインクリメントして次に選局すべきチャンネルを設定し（ｎ＝ｎ＋１）、Ｓ１００３に戻る（Ｓ１００９）。
【００６２】
こうして最後のチャンネルまでの選局を終えると、図５Ｂにおいてチャンネル設定部１０８は、スキャン制御部１０７から仮チャンネル情報テーブル４００を受け取る（Ｓ１０１０）。
【００６３】
チャンネル設定部１０８は、仮チャンネル情報テーブル４００から、地域情報を読み出し、チャンネル情報管理部１１０から当該地域情報に対応する地域プリセット情報テーブル５００を取得する（Ｓ１０１１）。
【００６４】
チャンネル設定部１０８は、地域プリセット情報テーブル５００と仮チャンネル情報テーブル４００を比較し、地域プリセット情報テーブル５００に存在するが仮チャンネル情報テーブル４００に存在しないチャンネル情報を取得する（Ｓ１０１２）。
【００６５】
チャンネル設定部１０８は、当該チャンネル情報を全てチャンネル情報管理部１１０に出力し、チャンネル情報管理部１１０にてサブチャンネル情報テーブル３００に登録する。また仮チャンネル情報テーブル４００の内容はメインチャンネル情報テーブル２００に登録する（Ｓ１０１３）。
【００６６】
なお、Ｓ１０１１において、仮チャンネル情報テーブル４００から地域情報を読み出しているが、地域情報を独立した情報として保持せずに、チャンネル情報における選局情報に関する値から推測できるようにしても良い。
【００６７】
２．２．本実施の形態の携帯端末装置１００におけるユーザ操作による選局動作の説明
２．２．１．上下キーによる選局動作の説明
以下、図６を用いて、本実施の形態の携帯端末装置１００による、リモコンの上下キーによる選局動作を説明する。
【００６８】
図６は、本実施の形態の携帯端末装置１００において、ユーザがリモコンの上下キー操作によって受信するチャンネルを切り替える選局動作の流れを示したフローチャートである。
【００６９】
ユーザ入力部１０２が上下キー入力を受け、選局制御部１０６にキー内容を通知する（Ｓ２００１）。
【００７０】
選局制御部１０６は、キー内容と現在選局中のチャンネル情報を選局可否判定部１０９に出力する（Ｓ２００２）。
【００７１】
選局可否判定部１０９は、チャンネル情報管理部１１０のメインチャンネル情報テーブル２００とサブチャンネル情報テーブル３００を参照し、受け取った現在選局中のチャンネル情報と同じチャンネルを両方のテーブルで検索する（Ｓ２００３）。
【００７２】
現在選局中のチャンネルがメインチャンネル情報テーブル２００に存在した場合（Ｓ２００４）、選局可否判定部１０９は、受け取ったキーの方向に従って、次に選局すべきチャンネル番号のチャンネル情報をメインチャンネル情報テーブル２００から取得し、選局制御部１０６に出力する。（Ｓ２００５）。次に選局すべきチャンネルは、上キーであれば、メインチャンネル情報テーブル２００の現在のチャンネルの次の位置（チャンネル番号がより大きくかつ最も近いチャンネル）のチャンネル情報である。すでに現在のチャンネルがメインチャンネル情報テーブル２００の最後尾の場合には、先頭位置のチャンネル情報となる。下キーであれば、次に選局すべきチャンネルは、一つ前の位置のチャンネル情報（チャンネル番号がより小さくかつ最も近いチャンネル）であり、すでに現在のチャンネルがメインチャンネル情報テーブル２００の先頭の場合には、最後尾のチャンネル情報となる。これらの処理は一般的なリストの走査処理であるため、詳細なフローの記述は省略し、Ｓ２００５としている。
【００７３】
現在選局中のチャンネルがサブチャンネル情報テーブル３００に存在した場合（Ｓ２００６）もＳ２００５に進む。即ち選局可否判定部１０９は、そのチャンネル情報のチャンネル番号について、受け取ったキーの方向に従って、次に選局すべきチャンネル番号のチャンネル情報をメインチャンネル情報テーブル２００から取得し、選局制御部１０６に出力する。具体的には、次に選局すべきチャンネルは、上キーであれば、現在のチャンネルのチャンネル番号より大きくかつ最も近いチャンネル番号のチャンネル情報をメインチャンネル情報テーブル２００から取得する。下キーであれば、現在のチャンネル番号より小さくかつ最も近いチャンネル番号のチャンネル情報をメインチャンネル情報テーブル２００から取得する。
【００７４】
例えば、図２のメインチャンネル情報テーブル２００と図３のサブチャンネル情報テーブル３００の例において、現在視聴中のチャンネル情報がサブチャンネル情報テーブル３００における０６１チャンネルの場合、上キーが入力されれば、メインチャンネル情報テーブル２００から、０６１チャンネルより大きく最も近い０８１チャンネルを、下キーが入力されれば、メインチャンネル情報テーブル２００から０６１チャンネルより小さく最も近い０４１チャンネルを次に選局するチャンネルとして取得する。
【００７５】
上キーの場合に、現在のチャンネル情報のチャンネル番号より大きいチャンネルがメインチャンネル情報テーブル２００に存在しない場合、メインチャンネル情報テーブル２００における最小のチャンネル番号のチャンネルを取得する。下キーの場合に、現在のチャンネル情報のチャンネル番号より小さいチャンネルがメインチャンネル情報テーブル２００に存在しない場合、メインチャンネル情報テーブル２００における最大のチャンネル番号のチャンネルを取得する。
【００７６】
また現在選局中のチャンネルがメインチャンネル情報テーブル２００にもサブチャンネル情報テーブル３００にも存在しない場合は処理を終える。
【００７７】
選局制御部１０６は、選局可否判定部１０９から受け取ったチャンネル情報をチューナー１０１及びデマルチプレクサ１０３に出力して、当該チャンネルにチューナー１０１に選局を指示し、デマルチプレクサ１０３に当該チャンネルの選局に必要な映像音声及びＳＩ情報の分離を指示する（Ｓ２００７）。
【００７８】
デマルチプレクサ１０３において、選局制御部１０６から指示されたとおりにデジタル放送信号から必要な映像音声データとＳＩ情報を分離し、映像音声データをＡＶデコーダ１０４に、ＳＩ情報を選局制御部１０６に出力する（Ｓ２００８）。
【００７９】
ＡＶデコーダ１０４はデマルチプレクサ１０３によって分離された映像音声データをデコードし、その結果を出力部１０５に出力する（Ｓ２００９）。
【００８０】
出力部１０５において、デコードされた映像音声をディスプレイ及びスピーカーにて出力する（Ｓ２０１０）。
【００８１】
２．２．２．ワンタッチによる選局動作の説明
以下、本実施の形態の携帯端末装置１００による、リモコンのワンタッチ番号キーによる選局動作を説明する。なお、ワンタッチ番号キーによる選局動作は、既存の携帯端末における選局動作と同様であるため、概要説明のみとし、フローチャートによる説明は省略する。
【００８２】
ユーザ入力部１０２がワンタッチ番号キー入力を受け、選局制御部１０６にキー内容を通知し、選局制御部１０６は、キー内容と現在選局中のチャンネル情報を選局可否判定部１０９に出力する。
【００８３】
選局可否判定部１０９は、キー内容のワンタッチ番号に対応するチャンネル情報をメインチャンネル情報テーブル２００及びサブチャンネル情報テーブル３００から検索し、該当するチャンネル情報を選局制御部１０６に出力する。
【００８４】
チャンネル情報を受け取った選局制御部１０６からの動作は、２．２．１における選局動作のＳ２００７以降と同様である。
【００８５】
２．３．受信状況監視によるメインチャンネル情報テーブル２００とサブチャンネル情報テーブル３００のチャンネル情報の入れ替え動作の説明
【００８６】
以下、図７を用いて、本実施の形態の携帯端末装置１００による、受信状況を監視してのメインチャンネル情報テーブル２００とサブチャンネル情報テーブル３００のチャンネル情報の入れ替え動作を説明する。
【００８７】
図７は、本実施の形態の携帯端末装置１００において、携帯端末装置１００が定期的に視聴中のチャンネルの受信状況を監視し、その状況に従って視聴中のチャンネルのチャンネル情報をメインチャンネル情報テーブル２００及びサブチャンネル情報テーブル３００間で入れ替える動作を示したフローチャートである。
【００８８】
選局可否判定部１０９は、一定時間経過時に選局制御部１０６から受信状況を取得する（Ｓ３００１）。この中で、選局制御部１０６はチューナー１０１やデマルチプレクサ１０３及びＡＶデコーダ１０４に対してチューナー１０１の受信感度、データ受信状況、ＡＶデコードのエラー状況などを取得する。なお、本実施の形態では、受信状況を判定するための情報について制限するものではない。
【００８９】
選局可否判定部１０９は、受信感度、データ受信状況及びＡＶデコードエラー状況から受信状況が良いか悪いか判定する（Ｓ３００２）。この判定には、受信感度が一定値以上、データ受信については特定の放送データ（ＭＰＥＧ２ＳＹＳＹＴＥＭ規格におけるＰＡＴやＰＭＴなど）が受信できているかどうか、ＡＶデコードエラーについては映像データや音声データのデコード失敗頻度、失敗回数、デコード失敗原因、及び正常データに対する破損データの割合（ビットエラーレート：ＢＥＲ）などで判断することが考えられるが、これらの判断条件や判断条件及びそれらの組み合わせについて制限するものではない。受信状況が良いか悪いかの判断については各判定するための情報について少なくとも一つ以上の閾値を用いても良い。
【００９０】
選局可否判定部１０９は、現在視聴中のチャンネルがメインチャンネル情報テーブル２００に登録されており、かつ受信状況が悪いと判断した場合（Ｓ３００３）、現在視聴中のチャンネルのチャンネル情報をメインチャンネル情報テーブル２００から削除し、サブチャンネル情報テーブル３００に登録して処理を終える（Ｓ３００４）。サブチャンネル情報テーブル３００への記載位置は、チャンネル番号順とする。
【００９１】
選局可否判定部１０９は、現在視聴中のチャンネルがサブチャンネル情報テーブル３００に登録されており、かつ受信状況が良いと判断した場合（Ｓ３００５）、現在視聴中のチャンネルのチャンネル情報をサブチャンネル情報テーブル３００から削除し、メインチャンネル情報テーブル２００に登録して処理を終える（Ｓ３００６）。メインチャンネル情報テーブル２００への記載位置は、チャンネル番号順とする。その他の場合はチャンネル情報の移動を行うことなく処理を終える。
【００９２】
これにより、メインチャンネル情報テーブル２００に記載されているチャンネルは視聴中に受信状況が悪化した場合に、サブチャンネル情報テーブル３００に入れ替えられることになる。こうすれば、このチャンネルはこれ以降、上下キーでは選局されなくなる。即ち受信感度が悪くて視聴できないチャンネルが上下キーは選局されなくなり、次に視聴可能なチャンネルを容易に見つけることができるようになる。
【００９３】
更に、そのチャンネルの受信状況が改善したときには、またメインチャンネル情報テーブル２００に復帰するため、その後はそのチャンネルも上下キーで容易に検索できるようになる。
【００９４】
なお、本実施の形態では、チャンネルスキャンの時点で検出されなかったチャンネルをサブチャンネル情報テーブル３００に記載するようにしているが、まずは地域プリセット情報テーブル５００を全てメインチャンネル情報テーブル２００にコピーして、その後各チャンネルについてメインチャンネル情報テーブル２００及びサブチャンネル情報テーブル３００の入れ替えを行うようにしても良い。また、仮チャンネル情報テーブル４００の内容をメインチャンネル情報テーブル２００の内容として使用しても良い。
【００９５】
なお、本実施の形態では視聴中のチャンネルに対して、メインチャンネル情報テーブル２００及びサブチャンネル情報テーブル３００の入れ替えを行っているが、複数のチューナー１０１を用いたり、放送を受信していない間に空いているチューナー１０１を用いて各チャンネルを選局して、それぞれメインチャンネル情報テーブル２００及びサブチャンネル情報テーブル３００の入れ替えを行うようにしても良い。
【００９６】
なお、本実施の形態ではチャンネルスキャン時に検出されなかったチャンネルのチャンネル情報を、対応する地域の地域プリセット情報テーブル５００から取得し、サブチャンネル情報テーブル３００に記載するようにしているが、検出されなかったチャンネルの数が少なかった場合には、そのチャンネルは選局したときにたまたま受信感度が悪かったとも推測できるため、それらのチャンネルもメインチャンネル情報テーブル２００に記載するようにしても良い。
【００９７】
なお、本実施の形態では、メインチャンネル情報テーブル２００とサブチャンネル情報テーブル３００と分けているが、受信状況などの属性情報を追加することにより、一つのチャンネル情報テーブルで管理、制御しても良い。この場合の属性情報はメインチャンネル情報テーブル２００への登録に相当する受信良の属性と、サブチャンネル情報テーブル３００への登録に相当する受信難の属性との２種類となる。
【００９８】
また、２段階、即ちメインチャンネル情報テーブル、サブチャンネル情報テーブルだけでなく、３つ以上のチャンネル情報テーブルで管理しても良い。この場合は受信感度等によって第１，第２，第３の３段階のように細かく分けて夫々異なったテーブルに登録したり、前述した属性情報に受信状態を段階的に記録しておくことが考えられる。
【００９９】
更に受信感度だけでなく、ユーザが選局した回数等から複数のチャンネル情報テーブル間の移動をすることも考えられる。選局した回数が多いほど、メインチャンネル情報テーブルや上位のチャンネル情報テーブルに登録すれば、ユーザの好みに合わせたチャンネルの選択を容易にすることができる。
【０１００】
なお、本実施の形態では、受信状況が良くないと判断されたサブチャンネル情報テーブル３００のチャンネルを上下キーを用いた選局対象から外しているが、他のキー操作においても同様にサブチャンネル情報テーブル３００のチャンネルを選局対象から外してもよい。逆に、上下キーに対しても、サブチャンネル情報テーブル３００のチャンネルを選局対象から外さないようにしてもよい。
【産業上の利用可能性】
【０１０１】
本発明にかかる放送受信装置は、放送を受信し表示する装置全般に適用可能である。例えば、１セグメントデジタルテレビジョン受信ビューアやデジタル放送受信機能付き携帯電話端末、デジタル放送受信機能付きデジタルカメラ、カーテレビ、デジタル放送受信機能付きＤＶＤ、ネットワーク接続可能な携帯端末等に適用可能である。
【図面の簡単な説明】
【０１０２】
【図１】本発明の実施の形態における携帯端末装置１００の構成図
【図２】メインチャンネル情報テーブル２００の一例を示す図
【図３】サブチャンネル情報テーブル３００の一例を示す図
【図４】地域プリセット情報テーブル５００の一例を示す図
【図５Ａ】携帯端末装置１００のメインチャンネル情報テーブル２００及びサブチャンネル情報テーブル３００の作成を示すフローチャート（その１）
【図５Ｂ】携帯端末装置１００のメインチャンネル情報テーブル２００及びサブチャンネル情報テーブル３００の作成を示すフローチャート（その２）
【図６】携帯端末装置１００のリモコンの上下キーによる選局動作のフローチャート
【図７】受信状況監視によるメインチャンネル情報テーブル２００とサブチャンネル情報テーブル３００のチャンネル情報の入れ替え動作のフローチャート
【符号の説明】
【０１０３】
１００  携帯端末装置
１０１  チューナー
１０２  ユーザ入力部
１０３  デマルチプレクサ
１０４  ＡＶデコーダ
１０５  出力部
１０６  選局制御部
１０７  スキャン制御部
１０８  チャンネル設定部
１０９  選局可否判定部
１１０  チャンネル情報管理部
２００  メインチャンネル情報テーブル
３００  サブチャンネル情報テーブル
４００  仮チャンネル情報テーブル
５００  地域プリセット情報テーブル
【図１】
2010124278.tif 000003
【図２】
2010124278.tif 000004
【図３】
2010124278.tif 000005
【図４】
2010124278.tif 000006
【図５Ａ】
2010124278.tif 000007
【図５Ｂ】
2010124278.tif 000008
【図６】
2010124278.tif 000009
【図７】
2010124278.tif 000010